(57)【要約】      （修正有）【課題】安定的に通信することができる電子装置システム及び電子装置を提供する。【解決手段】電子装置システムは、導電性の筐体に覆われた第１の電子装置２と、信号線と該信号線をシールドするシールド導体とから構成されるシールドケーブル４と、前記シールドケーブル４を介して前記第１の電子装置２と接続され、前記信号線を介して前記第１の電子装置２と通信する第２の電子装置３と、から構成され、前記第１の電子装置２と前記第２の電子装置３とが通信することにより協働して機能をなす電子装置システムであって、前記第１の電子装置２は、前記シールド導体と前記筐体とを電気的に接続又は切断するスイッチと、前記信号線を介した前記第２の電子装置３との通信結果に基づいて前記スイッチを制御する制御部とを有する。【選択図】図１
2006128510.tif 000002
【特許請求の範囲】
【請求項１】
導電性の筐体に覆われた第１の電子装置と、
信号線と該信号線をシールドするシールド導体とから構成されるシールドケーブルと、
前記シールドケーブルを介して前記第１の電子装置と接続され、前記信号線を介して前記第１の電子装置と通信する第２の電子装置と、
から構成され、
前記第１の電子装置と前記第２の電子装置とが通信することにより協働して機能をなす電子装置システムであって、
前記第１の電子装置は、前記シールド導体と前記筐体とを電気的に接続又は切断するスイッチと、前記信号線を介した前記第２の電子装置との通信結果に基づいて前記スイッチを制御する制御部とを有する、
ことを特徴とする電子装置システム。
【請求項２】
前記シールドケーブルは、さらに前記シールド導体によりシールドされる電源線を有し、
前記第２の電子装置は、前記第１の電子装置から前記電源線を介して電力の供給を受ける、
ことを特徴とする請求項１に記載の電子装置システム。
【請求項３】
前記第１の電子装置は、前記筐体にアース端子を有し、前記アース端子が接地されることにより一点接地される、
ことを特徴とする請求項１又は２に記載の電子装置システム。
【請求項４】
前記第２の電子装置は、絶縁性の材料により全面を覆われ、前記シールドケーブルを介して供給される前記第１の電子装置の基準電位を前記第２の電子装置の内部の基準電位とする、
ことを特徴とする請求項１から３のいずれか１項に記載の電子装置システム。
【請求項５】
前記シールドケーブルの前記シールド導体は、前記第２の電子装置とは絶縁されている、
ことを特徴とする請求項１から４のいずれか１項に記載の電子装置システム。
【請求項６】
前記制御部は、最後に前記第２の電子装置との通信に成功したときの状態に前記スイッチを設定して第１回目の通信を試み、該第１回目の通信に成功した場合はその通信結果に基づき前記第１の電子装置の各部を制御し、該第１回目の通信に失敗した場合には、該第１回目の通信とは異なる状態に前記スイッチを設定して第２回目の通信を試み、該第２回目の通信に成功した場合はその通信結果に基づき前記第１の電子装置の各部を制御する、
ことを特徴とする請求項１から５のいずれか１項に記載の電子装置システム。
【請求項７】
前記第２の電子装置は所定の信号を受信する受信器を含み、前記制御部は当該受信器による前記所定信号の受信が成功している状態を前記通信の成功とする
ことを特徴とする請求項６に記載の電子装置システム。
【請求項８】
導電性の筐体と、
前記筐体に絶縁体を介して固定され、他の電子装置との通信に用いるシールドケーブルが接続されるコネクタと、
前記シールドケーブルのシールド導体に接続される前記コネクタのシールド端子と前記筐体とを電気的に接続又は切断するスイッチと、
前記シールドケーブルを介した前記他の電子装置との通信結果に基づいて、前記スイッチを制御する制御部とを有する、
ことを特徴とする電子装置。
【請求項９】
前記コネクタは、前記他の電子装置に対して電力を供給するための電源端子を有する、
ことを特徴とする請求項８に記載の電子装置。
【請求項１０】
前記筐体は、アース端子を有し、前記アース端子が接地されることにより一点接地される、
ことを特徴とする請求項８又は９に記載の電子装置。
【請求項１１】
前記制御部は、最後に前記他の電子装置との通信に成功したときの状態に前記スイッチを設定して第１回目の通信を試み、該第１回目の通信に成功した場合はその通信結果に基づき電子装置の各部を制御し、該第１回目の通信に失敗した場合には、該第１回目の通信とは異なる状態に前記スイッチを設定して第２回目の通信を試み、該第２回目の通信に成功した場合はその通信結果に基づき電子装置の各部を制御する、
ことを特徴とする請求項８から１０のいずれか１項に記載の電子装置。
【請求項１２】
前記他の電子装置は所定の信号を受信する受信器を含み、前記制御部は当該受信器による前記所定信号の受信が成功している状態を前記通信の成功とする
ことを特徴とする請求項１１に記載の電子装置。
【請求項１３】
導電性の筐体と、
前記筐体に絶縁体を介して固定され、他の電子装置との通信に用いるシールドケーブルが接続されるコネクタと、
前記シールドケーブルのシールド導体に接続される前記コネクタのシールド端子と前記筐体とを電気的に接続又は切断するスイッチとを有する、
ことを特徴とする電子装置。
【発明の詳細な説明】
【技術分野】
【０００１】
本発明は、電子装置間をシールドケーブルで接続した電子装置システムにおいて、シールドケーブルにおいて生じるノイズの影響を低減させる技術に関する。
【背景技術】
【０００２】
制御機能や電力供給機能等の比較的汎用な機能を持った電子装置（第１の電子装置）と、送受信器、センサ、入出力装置等の特別な機能を持った電子装置（第２の電子装置）とを組み合わせる構成は、電子装置システムにおいて一般的な構成である。
このような電子装置システムでは、多くの場合、第１の電子装置と第２の電子装置とは、ＵＳＢ（Universal Serial Bus）、ＩＥＥＥ（Institute of Electrical and Electric Engineers：米国電気電子技術協会）１３９４、ＲＳ（Recommended Standard）２３２Ｃ、ＲＳ４２２／４８５等のインタフェース規格に従い、シールドケーブル（シールド導体で覆われた信号線や電源線）により接続される。そして、第１の電子装置と第２の電子装置とは通信を行いながら協働して所望の機能を実現する。
【０００３】
このように構成された電子装置システムでは、シールドケーブル上で電磁波が信号線や電源線に干渉してノイズが生じ、第１の電子装置と第２の電子装置の間の通信や通信以外の第２の電子装置の機能にも悪影響を及ぼすことがある。例えば、電磁波が強い場所に設置された場合や、ケーブルが数十から数百メートルになる場合などは、電磁波干渉によるノイズが生じやすい。
このような電磁波干渉によるノイズへの対策として、シールドケーブルのシールド導体を親装置及び／又は子装置の筐体に接続し、筐体を接地することでシールド導体のインピーダンスを下げ、電磁波干渉が生じにくくする手法やノイズ除去フィルタを設ける手法がある（例えば特許文献１参照）。
【特許文献１】特開２００２−３１２０８９号公報（図５）
【発明の開示】
【発明が解決しようとする課題】
【０００４】
しかしながら、周波数の特定が困難なためノイズ除去フィルタでノイズを防ぐことは困難である場合が多い。また、シールド導体と筐体とを接続した電子装置システムにおいて、筐体を接地しない（できない）場合や接地抵抗が高い場合には、電子装置内部で発生するノイズが筐体を介してシールド導体に伝わり、電子装置間の通信や電子装置の動作の妨げとなることがある。
例えば、電源回路にスイッチング方式の直流安定化電源や直流電圧変換回路を採用した場合、電圧変換に用いられるスイッチ切り替えの周波数及びその高調波の周波数の成分のスイッチングノイズにより、電子装置間の通信や電子装置の動作の妨げとなることがある。
【０００５】
本発明は、上記実情に鑑みてなされたもので、安定的に電子装置間の通信することができる電子装置システム及び電子装置を提供することを目的とする。また、電子装置間で一方の電子装置から電量力供給を受ける受信器等の他方の電子装置を安定して動作させることができる電子装置システム及び電子装置を提供することを目的とする。
【課題を解決するための手段】
【０００６】
本発明の第１の観点に係る電子装置システムは、導電性の筐体に覆われた第１の電子装置と、信号線と該信号線をシールドするシールド導体とから構成されるシールドケーブルと、前記シールドケーブルを介して前記第１の電子装置と接続され、前記信号線を介して前記第１の電子装置と通信する第２の電子装置と、から構成され、前記第１の電子装置と前記第２の電子装置とが通信することにより協働して機能をなす電子装置システムであって、前記第１の電子装置は、前記シールド導体と前記筐体とを電気的に接続又は切断するスイッチと、前記信号線を介した前記第２の電子装置との通信結果に基づいて前記スイッチを制御する制御部とを有する、ことを特徴とする。
【０００７】
前記シールドケーブルは、さらに前記シールド導体によりシールドされる電源線を有し、前記第２の電子装置は、前記第１の電子装置から前記電源線を介して電力の供給を受けてもよい。
【０００８】
前記第１の電子装置は、前記筐体にアース端子を有し、前記アース端子が接地されることにより一点接地されてもよい。
【０００９】
前記第２の電子装置は、絶縁性の材料により全面を覆われ、前記シールドケーブルを介して供給される前記第１の電子装置の基準電位を前記第２の電子装置の内部の基準電位としてもよい。
【００１０】
前記シールドケーブルの前記シールド導体は、前記第２の電子装置とは絶縁されていてもよい。
【００１１】
前記制御部は、最後に前記第２の電子装置との通信に成功したときの状態に前記スイッチを設定して第１回目の通信を試み、該第１回目の通信に成功した場合はその通信結果に基づき前記第１の電子装置の各部を制御し、該第１回目の通信に失敗した場合には、該第１回目の通信とは異なる状態に前記スイッチを設定して第２回目の通信を試み、該第２回目の通信に成功した場合はその通信結果に基づき前記第１の電子装置の各部を制御してもよい。
【００１２】
前記第２の電子装置は、所定の信号を受信する受信器を含み、前記制御部は当該受信器による前記所定信号の受信が成功している状態を前記通信の成功としてもよい。
【００１３】
本発明の第２の観点に係る電子装置は、導電性の筐体と、前記筐体に絶縁体を介して固定され、他の電子装置との通信に用いるシールドケーブルが接続されるコネクタと、前記シールドケーブルのシールド導体に接続される前記コネクタのシールド端子と前記筐体とを電気的に接続又は切断するスイッチと、前記シールドケーブルを介した前記他の電子装置との通信結果に基づいて、前記スイッチを制御する制御部とを有する、ことを特徴とする。
【００１４】
前記コネクタは、前記他の電子装置に対して電力を供給するための電源端子を有してもよい。
【００１５】
前記筐体は、アース端子を有し、前記アース端子が接地されることにより一点接地されてもよい。
【００１６】
前記制御部は、最後に前記他の電子装置との通信に成功したときの状態に前記スイッチを設定して第１回目の通信を試み、該第１回目の通信に成功した場合はその通信結果に基づき電子装置の各部を制御し、該第１回目の通信に失敗した場合には、該第１回目の通信とは異なる状態に前記スイッチを設定して第２回目の通信を試み、該第２回目の通信に成功した場合はその通信結果に基づき電子装置の各部を制御してもよい。
【００１７】
前記他の電子装置は、所定の信号を受信する受信器を含み、前記制御部は当該受信器による前記所定信号の受信が成功している状態を前記通信の成功としてもよい。
【００１８】
本発明の第３の観点に係る電子装置は、導電性の筐体と、前記筐体に絶縁体を介して固定され、他の電子装置との通信に用いるシールドケーブルが接続されるコネクタと、前記シールドケーブルのシールド導体に接続される前記コネクタのシールド端子と前記筐体とを電気的に接続又は切断するスイッチとを有する、ことを特徴とする。
【発明の効果】
【００１９】
本発明の電子装置システム及び電子装置は、電子装置間での通信状況や、電子装置間で一方の電子装置から電量力供給を受ける受信器等の他方の電子装置の動作状況、例えば、受信状況に応じてシールド導体と筐体とを接続するか否かを選択できるため、安定的に電子装置間の通信をすることができる。
【発明を実施するための最良の形態】
【００２０】
本発明をＪＪＹ標準電波を受信する標準電波受信器に適用した実施の形態について、図面を参照して説明する。
なお、ＪＪＹ標準電波（以下、単に標準電波と呼ぶ）とは、日本標準時（標準時刻情報）を知らせるために、おおたかどや山標準電波送信所、及び、はがね山標準電波送信所から送信される長波（それぞれ４０ｋＨｚ、６０ｋＨｚ）の電波である。
【００２１】
標準電波受信器１は、図１に示すように、制御装置２と、受信器３と、シールドケーブル４とから構成される。
なお、制御装置２は、本発明の第１の観点に係る電子装置システムにおける第１の電子装置及び本発明の第２の観点に係る電子装置における電子装置に対応する。
また、受信器３は、本発明の第１の観点に係る電子装置システムにおける第２の電子装置及び本発明の第２の観点に係る電子装置における他の電子装置に対応する。
【００２２】
制御装置２は、図２に示すように、通信部２１と、制御部としてのＣＰＵ（Central Processing Unit）２２と、電源部２３と、計時部２４と、コネクタ２５と、スイッチ２６と、メモリ２７と、記憶部２８と、筐体２９と、から構成される。
制御装置２は、受信器３を制御して標準時刻情報を取得し、計時部２４が計時する時刻を補正する。
制御装置２は、例えばラックに固定された電子装置で、通常は、筐体２９に設けられたアース端子により一点接地される。一点接地は不要な電流ループができない点で多点接地と比較してノイズに強いという利点を有する。しかし、アース端子が適切に接地されない場合や、接地されたとしても接地抵抗が高く十分な効果を得られない場合もあり得る。
また、多くの場合、ラックには他の電子装置も複数設置され、これらの電子装置が発する電磁波が標準電波受信器１に対してのノイズ源となる可能性がある。
以下、制御装置２の各構成要素について説明する。
【００２３】
通信部２１は、例えば、ＵＳＢ（Universal Serial Bus）、ＩＥＥＥ（Institute of Electrical and Electric Engineers：米国電気電子技術協会）１３９４、ＲＳ（Recommended Standard）２３２Ｃ、ＲＳ４２２／４８５等のインタフェース規格に従い、制御回路、ドライバ、レシーバ等から構成される。本実施の形態では、ＲＳ４２２規格に準拠した通信部２１を例に説明する。
通信部２１は、ドライバとレシーバをそれぞれ２個ずつ有する。そして、ドライバの出力端子及びレシーバの入力端子は、コネクタ２５及びシールドケーブル４を介して受信器３と接続され、受信器３との間で通信をする。例えば、通信部２１は、ＣＰＵ２２からの標準時刻情報の取得を要求する命令を受信器３に送信し、これに応答して受信器３から供給される標準時刻情報を受け取ってＣＰＵ２２に伝える。
【００２４】
ＣＰＵ２２は、記憶部２８に記憶されたプログラム等に基づいて、制御装置２の全体を制御する。例えば、ＣＰＵ２２は、スイッチ２６を開放又は短絡させたり、受信器３に電力供給するか否かを制御したりする。
【００２５】
電源部２３は、トランス、整流器等から構成される電源で、商用電源である交流１００ボルトを制御装置２及び受信器３で必要とされる直流電圧に変換し、各構成要素に対して供給する。例えば、電源部２３は、受信器３に対して、基準電位（０ボルト）と電源電圧（＋５ボルト等）を供給する。
なお、図２の理解を容易にするために、電源部２３と制御装置２に含まれる他の構成要素との接続関係は省略する。
【００２６】
計時部２４は、発信回路、カウンタ回路、時刻レジスタ等を備え、発信回路からのクロック信号をカウンタ回路でカウントし、カウント値に基づいて時刻レジスタに記憶している計時時刻を更新し、ＣＰＵ２２等に供給する。計時部２４の計時する時刻は、ＣＰＵ２２により、受信器３から受け取った標準時刻情報に合わせて補正される。詳しく述べないが、制御装置２は、計時部２４の計時時刻に基づき図示しない子時計を駆動する親時計や図示しない他の装置に計時時刻を供給する親時計として利用される。
【００２７】
コネクタ２５は、受信器３に電力を供給するための電源端子２５ａと、受信器３と通信を行うための信号端子２５ｂと、後述するシールド導体４３と接続されるシールド端子２５ｃとから構成される。コネクタ２５は、図３に示すように、絶縁体２５ｄを介して導電性の筐体２９に固定され、シールド端子２５ｃと筐体２９とは絶縁されている。
【００２８】
スイッチ２６は、コネクタ２５のシールド端子２５ｃと筐体２９とを電気的に接続又は切断するスイッチであり、ＣＰＵ２２により状態を制御される。
【００２９】
メモリ２７は、ＲＡＭ（Random Access Memory）や不揮発性のメモリ等から構成され、ＣＰＵ２２の演算処理に必要な情報を一時的に記憶するワークスペースとなる。
記憶部２８は、ＲＯＭ（Read Only Memory）や不揮発性のメモリ等からなり、ＣＰＵ２２が実行するプログラム等を記憶する。例えば、記憶部２８は、時刻補正処理等を規定するプログラムを記憶する。
【００３０】
筐体２９は、通信部２１、ＣＰＵ２２、電源部２３等を収めるための箱形の導電性の容器である。筐体２９の外面にはアース端子が設けられ、当該アース端子を接地することにより、制御装置２は一点接地される。
【００３１】
受信器３は、図４に示すように、通信部３１と、ＣＰＵ３２と、アンテナ３３と、受信部３４と、電源部３５と、メモリ３６と、記憶部３７と、から構成される。
受信器３は、制御装置２からの要求に応じて、標準時刻情報を受信し、受信した標準時刻情報を、シールドケーブル４を介して制御装置２に供給する。
また、受信器３は、制御装置２から離れた、標準電波の受信環境が良い場所（例えば屋外）に設置される。そして、受信器３は標準電波を透過し且つ耐水性を有する絶縁性の材料（例えばアクリル樹脂）によって密封され、受信器３は接地されずに使用される。
以下、受信器３の各構成要素について説明する。
【００３２】
通信部３１は、ＵＳＢ、ＩＥＥＥ１３９４、ＲＳ２３２Ｃ、ＲＳ４２２／４８５等のインタフェース規格に従い、制御回路、ドライバ、レシーバ等から構成される。本実施の形態では、ＲＳ４２２規格に準拠した通信部３１を例に説明する。
通信部３１は、ドライバとレシーバをそれぞれ有する。そして、ドライバの出力端子及びレシーバの入力端子は、シールドケーブル４及びコネクタ２５を介して制御装置２の通信部２１が有するレシーバ及びドライバとそれぞれ接続され、制御装置２との間で通信をする。例えば、通信部３１は、制御装置２からの命令を受け取ってＣＰＵ３２に伝え、ＣＰＵ３２によりデコードされた標準時刻情報を制御装置２に供給する。
【００３３】
ＣＰＵ３２は、記憶部３７に記憶されたプログラム等に基づいて、受信器３の全体を制御する。例えば、ＣＰＵ３２は、受信部３４から供給された標準時刻情報をデコードして通信部３１に供給する。
【００３４】
アンテナ３３は、標準電波を受信するためのＬＦ（Low Frequency）アンテナである。なお、標準電波は４０ｋＨｚと６０ｋＨｚの２箇所の送信局があり、また様々な設置環境に対応させるため、図示しないが、指向性の異なる２つのアンテナを有し、いずれか一方のアンテナを選択して使用する。
また、受信部３４は、フィルタ回路、増幅回路、復調回路等を備え、アンテナが受け取った信号を検出及び復調して標準時刻情報とする。受信部３４は復調した標準時刻情報をＣＰＵ３２に供給する。なお、図示しないが、受信部３４は、２種類の標準電波の周波数のそれぞれに対応した２つの復調回路を有し、いずれか一方の復調回路を選択して使用する。
【００３５】
電源部３５は、ノイズ除去フィルタ、直流電圧変換器等から構成される。電源部３５は、制御装置２から基準電圧（０ボルト）と電源電圧（＋５ボルト等）を受け取り、ノイズ除去フィルタを介して、各回路に基準電圧と電源電圧とを分配する。各回路が制御装置２から供給される電源電圧とは異なる電圧を必要とする場合には、電源部３５は、直流電圧変換器によって適宜電圧を変換して各回路に所望の電圧を供給する。
なお、図４の理解を容易にするために、電源部３５と各回路との接続関係は省略する。
【００３６】
メモリ３６は、ＲＡＭ（Random Access Memory）等から構成され、ＣＰＵ３２の演算処理に必要な情報を一時的に記憶するワークスペースとなる。
記憶部３７は、ＲＯＭ（Read Only Memory）や不揮発性のメモリ等からなり、ＣＰＵ３２が実行するプログラム等を記憶する。例えば、記憶部３７は、標準時刻受信処理等を規定するプログラムを記憶する。
【００３７】
シールドケーブル４は、図５に示すように、６本の芯線を有するシールドケーブルである。６本ある芯線のうち、２本は制御装置２から出力される基準電圧と電源電圧を受信器３に供給する電源線４１であり、他の４本は制御装置２と受信器３との間で通信を行うための信号線４２である。
信号線４２のうち２本は、制御装置２の通信部２１が有するドライバと受信器３の通信部３１が有するレシーバとを接続し、制御装置２から受信器３への信号を伝達する。また、信号線４２のうち他の２本は、受信器３の通信部３１が有するドライバと制御装置２の通信部２１が有するレシーバとを接続し、受信器３から制御装置２への信号を伝達する。
【００３８】
また、電源線４１及び信号線４２は電磁波の干渉を防止するためのシールド導体４３により覆われる。シールド導体４３は、例えば、銅の細線を網状に編んだもの等で構成される。
また、シールドケーブルの一端には、制御装置２のコネクタ２５と嵌合するコネクタ４４が設けられる。電源線４１及び信号線４２は、コネクタ４４を介し、制御装置２が有するコネクタ２５の電源端子２５ａ、信号端子２５ｂとそれぞれ接続され、シールド導体４３はコネクタ４４を介し、制御装置２が有するコネクタ２５のシールド端子２５ｃと接続される。
一方、シールドケーブル４のコネクタ４４が設けられない側の端は、受信器３の各構成要素が実装された図示せぬ回路基板に固定的に（例えば半田付けや圧着により）接続される。このとき、電源線４１と信号線４２は回路基板と接続されるが、シールド導体４３は回路基板と接続されない。すなわち、シールド導体４３と受信器３とは、絶縁されている。
【００３９】
このような構成の標準電波受信器１において、計時部２４の計時する時刻を受信器３が受信した標準時刻情報に合わせて補正する際の手順を、図６に示すフローチャートを参照して説明する。
【００４０】
制御装置２は、計時部２４の計時する時刻が所定の時刻になると、時刻補正処理を開始する。
はじめに、制御装置２のＣＰＵ２２は、スイッチ２６を、メモリ２７に記憶された前回標準時刻情報の受信に成功したときの状態に設定する（ステップＳ１０）。なお、時刻補正処理の開始時点までに標準時刻情報の受信に成功したことがない場合には、スイッチ２６を短絡状態にし、シールドケーブル４のシールド導体４３を筐体と電気的に接続する。
【００４１】
次に、ＣＰＵ２２は電源部２３を制御して、受信器３への電力供給を開始する（ステップＳ１１）。そして、ＣＰＵ２２は通信部２１を介して受信器３に標準時刻情報を取得して送信するよう要求する（ステップＳ１２）。ＣＰＵ２２からの要求に応答して、受信器３は、後述する標準時刻受信処理を実施し、標準時刻情報を取得して制御装置２に送信する。
このとき、制御装置２と受信器３とを接続するシールドケーブル４において、電源線４１や信号線４２に電磁波干渉等によりノイズが生じると、制御装置２と受信器３の間の通信が妨げられることや、受信器３が正常に機能しないこと（例えば、ＣＰＵ３２が標準時刻情報をデコードできないこと等）がある。このため、ＣＰＵ２２の要求が満たされることは保証されない。
【００４２】
ＣＰＵ２２は、標準時刻受信処理時において受信器３から標準時刻情報を受信したか否か及びＣＰＵ３２によりデコードされた標準時刻情報が正常値か否かを後述する許容時間だけ定期的（例えば１秒毎）に判定し（ステップＳ１３）、正常にデコードされた標準時刻情報を受信した場合には（ステップＳ１３；Ｙｅｓ）、後述するステップＳ２１に進む。一方、標準時刻情報を未だ受信していない場合及びデコードされた標準時刻情報が異常値の場合には（ステップＳ１３；Ｎｏ）、ＣＰＵ２２は、計時部２４の時刻を参照し、受信器３に標準時刻情報の送信を要求してからあらかじめ設定した許容時間であるＮ秒が経過したか否か、を判定する（ステップＳ１４）。Ｎ秒経過していない場合（ステップＳ１４；Ｎｏ）、ステップＳ１３に戻って、再度、標準時刻情報を受信したか否かを監視する。また、Ｎ秒経過している場合（ステップＳ１４；Ｙｅｓ）、ＣＰＵ２２は、電源部２３を制御し、受信器３に対する電力供給を停止する（ステップＳ１５）。
【００４３】
その後、ＣＰＵ２２は、スイッチ２６をステップＳ１０とは逆の状態（ステップＳ１０で短絡した場合は開放、ステップＳ１０で開放した場合には短絡）に設定する（ステップＳ１６）。
次に、ＣＰＵ２２は電源部２３を制御して、受信器３への電力供給を開始する（ステップＳ１７）。そして、ＣＰＵ２２は通信部２１を介して受信器３に標準時刻情報を取得して送信するよう要求する（ステップＳ１８）。ＣＰＵ２２からの要求に応答して、受信器３は、後述する標準時刻受信処理を実施し、標準時刻情報を取得して制御装置２に送信する。
このとき、制御装置２と受信器３とを接続するシールドケーブル４において、電源線４１や信号線４２に電磁波干渉等によりノイズが生じると、制御装置２と受信器３の間の通信が妨げられることや、受信器３が正常に機能しないこと（例えば、ＣＰＵ３２が標準時刻情報をデコードできないこと等）がある。このため、ＣＰＵ２２の要求が満たされることは保証されない。
【００４４】
ＣＰＵ２２は、受信器３から標準時刻情報を受信したか否か及びＣＰＵ３２によりデコードされた標準時刻情報が正常値か否かを定期的（例えば１秒毎）に判定し（ステップＳ１９）、正常にデコードされた標準時刻情報を受信した場合には（ステップＳ１９；Ｙｅｓ）、後述するステップＳ２１に進む。一方、標準時刻情報を未だ受信していない場合及びデコードされた標準時刻情報が異常値の場合には（ステップＳ１９；Ｎｏ）、ＣＰＵ２２は、計時部２４の時刻を参照し、受信器３に標準時刻情報の送信を要求してからあらかじめ設定した許容時間であるＮ秒が経過したか否か、を判定する（ステップＳ２０）。Ｎ秒経過していない場合（ステップＳ２０；Ｎｏ）、ステップＳ１９に戻って、再度、標準時刻情報を受信したか否かを監視する。また、Ｎ秒経過している場合（ステップＳ２０；Ｙｅｓ）には、ＣＰＵ２２は、受信器３に対する電力供給を停止し（ステップＳ２３）、時刻補正処理を終了する。この場合には、時刻の補正をせずに標準時刻情報の受信を中断する。
【００４５】
ステップＳ１３又はステップＳ１９において、標準時刻情報が送られてきた場合、ＣＰＵ２２は、現状のスイッチの状態をメモリ２７に記憶する（ステップＳ２１）。そして、ＣＰＵ２２は、計時部２４の時刻を標準時刻情報に合わせて補正し（ステップＳ２２）、受信器３への電力供給を停止して（ステップＳ２３）、時刻補正処理を終了する。
【００４６】
次に、図７に示すフローチャートを参照して、受信器３による標準時刻受信処理の手順を説明する。
標準時刻受信処理は、制御装置２から受信器３に対し電力が供給され、標準時刻情報を取得して送信するよう要求があったときに実行される。すなわち、標準時刻受信処理は、図６中のステップＳ１２及びステップＳ１８に応答した受信器３の動作の手順である。
【００４７】
標準時刻受信処理が開始されると、受信器３のＣＰＵ３２は、標準電波に対応したアンテナ３３と、受信部３４の復調回路とを選択する（ステップＳ３１）。アンテナ３３と、４０ｋＨｚ、６０ｋＨｚそれぞれの周波数に対応した復調回路との組み合わせを変えつつ試験的に受信動作を行い、受信に適した周波数（４０ｋＨｚか６０ｋＨｚのいずれか）に対応した復調回路と、アンテナとを選択する。次に、ＣＰＵ３２は、受信部３４から標準時刻情報が供給されたか否かを定期的（例えば、１秒毎）に監視する（ステップＳ３２）。そして、未だ受信部３４から標準時刻情報が供給されていない場合には（ステップＳ３２；Ｎｏ）、監視を続ける。一方、受信部３４から標準時刻情報が供給されると（ステップＳ３２；Ｙｅｓ）、ＣＰＵ３２は標準時刻情報をデコードし、通信部３１を介して制御装置２に供給する（ステップＳ３３）。
以上で標準時刻受信処理が終了となる。
【００４８】
上述のように、制御装置２が標準時刻情報を取得できなかった場合に、スイッチ２６を切り替えて、再度、標準時刻情報の取得を試みることにより、周囲の環境（電磁波の強度や接地状態等）が変化した場合にも、標準時刻情報の取得に成功する確率を高めることが可能になる。換言すると、受信器３との通信に失敗した場合に、シールド導体４３と筐体２９との接続を切り替えて、再度、通信を試みることで、シールド導体４３と筐体２９との接続関係を設計時に決定した場合と比較して、より安定した通信をすることができる。
また、制御装置２が標準時刻情報を取得できなかった原因が、電源線４１におけるノイズ等により受信器３が正常に機能しなかったことによる場合にも、再度、標準時刻情報の取得を試みるため、システム全体としての信頼性を高めることができる。
特に、本実施の形態のように第２の電子装置が接地されず、第２の電子装置に対し電力が第１の電子装置から供給される場合、第２の電子装置の電源はノイズが多くなり易いが、本発明はこのような場合にも効果的に第２の電子装置を安定的に動作させることが可能である。
【００４９】
本実施の形態においては、受信器３が標準電波の受信器である場合を例に説明したが、本発明の本発明の電子装置システム及び電子装置は、第２の電子装置としての受信器がラジオ放送、テレビジョン放送、無線通信等、標準電波とは異なる電波の受信器である電子装置システム及び電子装置にも適用することができる。
【００５０】
本実施の形態においては、第２の電子装置が受信器である場合を例に説明したが、本発明の電子装置システム及び電子装置は、第２の電子装置として、送信器、センサ装置（温度センサ、光センサ、圧力センサ等）、入力装置（マウス、キーボード等）、出力装置（プリンタ、ディスプレイ等）、記憶装置（ハードディスクドライブ、光ディスクドライブ、フラッシュメモリ等）等を有する電子装置システム及び電子装置にも適用することができる。
【００５１】
本実施の形態においては、第２の電子装置とシールドケーブルとが固定的に接続される場合を例に説明したが、本発明の電子装置システムは、第２の電子装置とシールドケーブルとの接続部にコネクタが設けられ、第２の電子装置からシールドケーブルが着脱可能である電子装置システムにも適用することができる。
【００５２】
本実施の形態においては、第２の電子装置である受信器３は、第１の電子装置である制御装置と通信を必要とする機能のみを有する場合を例に説明したが、本発明の電子装置システム及び電子装置は、第２の電子装置は第１の電子装置との通信を必要としない機能をも有し、第１の電子装置と接続された場合には、第１の電子装置との通信を必要としない機能とは異なる機能を実現可能な電子装置システム及び電子装置にも適用することができる。
このような電子装置システムとして、例えば、第２の電子装置として携帯電話を、第１の電子装置としてパーソナルコンピュータを用い、シールドケーブルで携帯電話とパーソナルコンピュータとを接続して電子装置システムを構成し、パーソナルコンピュータで携帯電話を介して無線データ通信をしたり、パーソナルコンピュータによって携帯電話のデータ管理をしたりする電子装置システムがある。
【図面の簡単な説明】
【００５３】
【図１】本発明の実施の形態における標準電波受信器の構成を示すブロック図である。
【図２】本発明の実施の形態における制御装置の構成を示すブロック図である。
【図３】本発明の実施の形態における筐体とコネクタとの接合部の断面図である。
【図４】本発明の実施の形態における受信器の構成及び受信器とシールドケーブルとの接続関係を示すブロック図である。
【図５】本発明の実施の形態におけるシールドケーブルの構成を示す概略図である。
【図６】時刻補正処理の手順を示すフローチャートである。
【図７】標準時刻受信処理の手順を示すフローチャートである。
【符号の説明】
【００５４】
１    標準電波受信器
２    制御装置
３    受信器
４    シールドケーブル
【図１】
2006128510.tif 000003
【図２】
2006128510.tif 000004
【図３】
2006128510.tif 000005
【図４】
2006128510.tif 000006
【図５】
2006128510.tif 000007
【図６】
2006128510.tif 000008
【図７】
2006128510.tif 000009